(57)【要約】【課題】履物の内部底面形状に合わせることにより、足裏全体のフィット性と安定性を図ることができる履物の中敷きに最適な形状記憶装置を提供する。【解決手段】内部空間に複数の粒状体４が充填され、外力により変形自在な中空状の粒状体保持手段５と、その粒状体保持手段５の内部空間を負圧にし、かつその負圧状態を保つことにより前記粒状体４を密着させて、粒状体４の密着面に外力に対する抗力を発生させる負圧保持手段である逆流防止弁６を備える。【選択図】図１
2005253494.tif 000002
【特許請求の範囲】
【請求項１】
内部空間に複数の粒状体が充填され、外力により変形自在な中空状の粒状体保持手段と、その粒状体保持手段の内部空間を負圧にすることにより前記粒状体を密着させて、前記粒状体の密着面に、前記外力に対する抗力を発生させる負圧保持手段を備えた形状記憶装置。
【請求項２】
請求項１記載の形状記憶装置を履物の内部底面の形状に合わせた履物の中敷。
足の形状を記憶する履物の中敷き。
【請求項３】
特許請求項２記載の履物の中敷きを備えた履物。
【発明の詳細な説明】
【技術分野】
【０００１】
本発明は足のフィット性と安定性を考慮した、履物の中敷き等に用いられる形状記憶装置に関するものである。
【背景技術】
【０００２】
従来の履物の中敷きに関するものとしては、皮革、フェルト又は合成樹脂の弾性体からなるシート状の材料を足形に打ち抜いた平面形状のものや、土不踏部を隆起させたものや、踵部の周辺を踵形状に覆うカップインソールといわれるものが提供されてきた。
【０００３】
また、スポーツ用においては、踵部に緩衝性パッド材を配置するものが提供されているものがあった。また、図３に示す履物の中敷きのように表面層１および裏面層３からなるシート状材料を中空とし内部にコルク２等を配したものもある。（例えば特許文献１参照）
シート材料の中空部分にコルク２を配することにより、使用者の足になじみ易いという中敷きであった。
【特許文献１】特開２００１−２９９４０８号公報（第４頁、図１）
【発明の開示】
【発明が解決しようとする課題】
【０００４】
しかしながら、このような従来の構成では、着用時に荷重がかかった際に足裏の形状に近い状態になるものの、着用直後に足裏の形状を完全に記憶するものではないため、着用を続ければ足裏全体のフィット性と安定性が向上していくものの、着用直後から足裏全体のフィット性と安定性の向上が難しいという課題を有していた。
【０００５】
本発明は、前記従来の課題を解決するもので、履物の内部底面形状に合わせることにより、足裏全体のフィット性と安定性を図ることができる履物の中敷きに最適な形状記憶装置を提供することを目的とする。
【課題を解決するための手段】
【０００６】
上記目的を達成するために、本発明の形状記憶装置は、内部空間に複数の粒状体が充填され、外力により変形自在な中空状の粒状体保持手段と、その粒状体保持手段の内部空間を負圧にすることにより前記粒状体を密着させて、前記粒状体の密着面に、前記外力に対する抗力を発生させる負圧保持手段を備えたものである。
【発明の効果】
【０００７】
本発明は、本発明の形状記憶装置は、内部空間に複数の粒状体が充填され、外力により変形自在な中空状の粒状体保持手段と、その粒状体保持手段の内部空間を負圧にすることにより前記粒状体を密着させて、前記粒状体の密着面に、前記外力に対する抗力を発生させる負圧保持手段を備えたものであり、外力によって変形し内部空間が負圧となった粒状保持手段が負圧保持手段によって形状保持されるので、外力がかかれば即座に形状を記憶することができるとともに、履物の内部底面形状に合わせることにより、履物の中敷として履物着用時に足の形状を記憶するという特徴を有し、この中敷きを適用した履物は、着用時のフィット性と安定性が向上する。
【発明を実施するための最良の形態】
【０００８】
本発明は、本発明の形状記憶装置は、内部空間に複数の粒状体が充填され、外力により変形自在な中空状の粒状体保持手段と、その粒状体保持手段の内部空間を負圧にすることにより前記粒状体を密着させて、前記粒状体の密着面に、前記外力に対する抗力を発生させる負圧保持手段を備えたものであり、外力によって変形し内部空間が負圧となった粒状保持手段が負圧保持手段によって形状保持されるので、外力がかかれば即座に形状を記憶することができる。
【０００９】
また、履物の内部底面形状に合わせることにより、履物の中敷として履物着用時に足の形状を記憶するという特徴を有し、この中敷きを適用した履物は、着用時のフィット性と安定性が向上する。
【００１０】
さらに、その中敷きを履物に設けることにより、着用時から履き心地のよい履物を提供することができる。
【実施例】
【００１１】
以下本発明の一実施例について、図面を参照しながら説明する。
【００１２】
図１は、本発明の実施例における形状記憶装置の断面を模式的に表した構成図である。
【００１３】
この形状記憶装置は、図１に示すように、複数の粒状体４と、内部に複数の粒状体４を保持した粒状体保持手段５と、粒体保持手段５の内部から出た空気が戻らず負圧状態を保つように構成した負圧保持手段としての逆流防止弁６を有し、粒状体保持手段５は逆流防止弁６を備えて密閉された袋を構成している。
【００１４】
なお、粒状体保持手段５は特に薄い伸びのある樹脂材料であれば材料を選ばないが、ポリエチレン、ポリプロピレン、ポリスチレン、ＡＳ樹脂、ＡＢＳ樹脂、メタクリル樹脂、ポリ塩化ビニル、ポリアセタール、ポリアミド、ポリカーボネート、ポリフェニレンエーテル、ポリブチレンテレフタレート、ポリエチレンテレフタレート、ポリサルフォン、ポリエーテルサルフォン、ポリフェニレンサルファイド、ポリアミドイミド、ポリメチルペンテンフェノール樹脂、ユリア樹脂、メラミン樹脂、エポキシ樹脂、ポリエステル樹脂、ポリイミド、ポリウレタンといった、汎用性のある樹脂を用いることができる。
【００１５】
また、粒状体４は、特に材料を選ばないが、小型軽量の球形発泡樹脂が好ましいが、粒径を考慮すれば、ガラス玉、コーヒー豆、木、米でも良い。
【００１６】
また、逆流防止弁６には、粒状体４が排気時に流出しないようにフィルタが設けられている。
【００１７】
この形状記憶手段では、粒状体保持手段５に外力が加えられると粒状体保持手段５内の空気が逆流防止弁６から粒状体保持手段５の外に流出し、粒状体保持手段５内に保持された複数ある粒状体４同士が密着し、粒状体４の密着面には外力に対する抗力が発生する。
【００１８】
そして、流出した空気が粒状体保持手段５に戻らないため、粒状体保持手段５内の負圧状態が保たれる。その結果、粒状体４同士の密着状態が保持され、粒状体保持手段４の外形は外力により形成された形状で固定され、形状を記憶した状態となる。
【００１９】
このように本発明の形状記憶装置は外力により形成された形状を、外力を受けた時点で記憶するため、加熱・冷却・薬品処理など形状記憶させるための後工程を必要とせず、また形状記憶するまでの時間も必要としないので、形状記憶を必要とする種々用途に利用できる。
【００２０】
しかも、記憶される形状は粒状体４によって構成されるため、ある程度複雑な形状であっても複数ある粒状体４の配置によって実現できる。粒状体４の粒径は小さいほどより複雑な形状を記憶できることになるが、粒状体４の粒径を小さくすると粒状体４が逆流防止弁６から粒状体保持手段４の外に出ていく危険性があるので、粒状体４の粒径は逆流防止弁６の孔径または逆流防止弁６のフィルタの孔径も考慮して決める必要がある。
【００２１】
図２（ａ）、（ｂ）はこの形状記憶装置を履物（図示せず）の内部底面の形状に合わせて形成した履物の中敷の平面図および断面図である。
【００２２】
この履物の中敷は、粒状体１４と、内部に粒状体１４を保持した粒状保持手段１５と、粒体保持手段１５の内部から出た空気が戻らず負圧状態を保つように構成した負圧保持手段としての逆流防止弁１６を有し、粒状体保持手段１４は逆流防止弁１６を備えて密閉された袋を構成している。
【００２３】
粒状体保持手段１５内部が負圧となり、粒状体４が密着すると、その粒状体１４の密着面に外力に対する抗力が発生し、足裏の形状を記憶することができる。
【００２４】
本発明の中敷きを配した履物に足を挿入すると、粒状体１４は足裏の形状に沿うように粒状体保持手段１５内を移動し、粒状体保持手段１５内の空気が逆流防止弁１６より排気された後は、負圧状態が保たれ使用者の足裏の形状に合うように形状を記憶するため、本発明の履物の中敷きは使用者の足によく馴染み、十分なフィット性と安定性を使用者に与えることが可能となる。
【００２５】
また、上記履物の中敷きを設けた履物は、使用者の足によく馴染むので、非常に歩きやすく疲れにくい。
【００２６】
なお、上記実施例では、排気箇所として逆流防止弁６、１５を設けたが、排気ポンプまで含めた構成としても良い。
【産業上の利用可能性】
【００２７】
本発明にかかる形状記憶装置は、容易にある程度複雑な形状を記憶することができ、かつ外力に対して抗力を発生することにより、形状記憶を必要とする種々の用途に利用可能であり、履物の中敷きのほか、枕、骨折部の添木、ギブスなどに用いることができる。
【図面の簡単な説明】
【００２８】
【図１】本発明の一実施例における形状記憶装置の断面模式図
【図２】（ａ）は本発明の一実施例における履物の中敷きの平面図、（ｂ）は同断面模式図
【図３】従来の履物の中敷きの断面図
【符号の説明】
【００２９】
４、１４    粒状体
５、１５    粒状体保持手段
６、１６    逆流防止弁（負圧保持手段）
【図１】
2005253494.tif 000003
【図２】
2005253494.tif 000004
【図３】
2005253494.tif 000005